(57)【要約】【課題】別体の連結部材が必要のない、容易に組み立て可能で、且つ、組立後に係合部の回動等により係合の離脱等の恐れのない、連結接続性や施工性に優れた土石詰め用組枠を提供すること。【解決手段】矩形形状の両側辺に、内周面が八角形状とされた係合孔２０の一部に切欠部２２を有した係合突起１４と、前記切欠部２２が通過可能とされた挿入部２６と前記係合突起１４の係合孔２０が係合される外周面が八角形状とされた係止部２８とを有した係止軸１８とが設けられてなる枠体１０を複数用いて、それぞれ枠体１０の係合突起１４と係止軸１８とを回動不能に係止することによって、所望の形状の土石詰め用組枠を形成した。【選択図】　　　　　図９
2004084350.tif 000002
【特許請求の範囲】
【請求項１】
少なくとも一辺に一部切欠きリング状の先端部を備えた係合突部を有する矩形の枠体と、該係合突部が係合せしめられる係止軸部を、少なくとも一辺に設けた空所内に、該空所の対向する側部を橋絡するように配設してなる矩形の枠体とを備えた土石詰め用組枠にして、
前記係合突部を、内周面が多角形状とされた係合孔と該係合孔を外部に連通せしめる切欠部とを有する一部切欠きリング状の先端部構造において、構成する一方、前記係止軸部を、該係合突部における一部切欠きリング状先端部の切欠部が通過し得る太さを有する挿入部と、該挿入部に連設されて、該係合突部における一部切欠きリング状先端部に設けられた係合孔が外挿せしめられる、該係合孔の多角形状の内周面との係合によって該係合突部を回動不能に係止せしめる多角形状の外周面を備えた係止部とを含んで、構成するようにしたことを特徴とする土石詰め用組枠。
【請求項２】
前記係合突部と前記係止軸部とが、一つの矩形枠体の対向する一対の辺にそれぞれ設けられている請求項１記載の土石詰め用組枠。
【請求項３】
前記枠体が、横方向及び／又は縦方向に組み立てられることからなる請求項１または請求項２に記載の土石詰め用組枠。
【請求項４】
前記係止軸部における係止部が、前記挿入部から離れるに従って漸次形状が大となる多角形状の外周面を有している請求項１乃至請求項３の何れかに記載の土石詰め用組枠。
【請求項５】
前記枠体の対向する辺の一方に、Ｕ字形先端部を有する連結突起が一体的に設けられている一方、該対向する辺の他方に、該連結突起の先端部のＵ字形状内に嵌入せしめられる膨出部が一体的に設けられている請求項１乃至請求項４の何れかに記載の土石詰め用組枠。
【請求項６】
前記枠体の前記空所が設けられた辺において、該空所よりも該枠体の内側に入り込んだ位置に第二の空所を設け、該第二の空所内に、前記係止軸部と同様な第二の係止軸部を、該第二の空所の対向する側部を橋絡するように配設した請求項１乃至請求項５の何れかに記載の土石詰め用組枠。
【発明の詳細な説明】
【０００１】
【技術分野】
本発明は、土石詰め用組枠に係り、特に、河川の岸や川底等に載置して使用され、その枠内に砕石や土嚢、土砂等を収納、充填せしめることによって、護岸・護床したり、漁礁として魚介類の生息場所を与えたり等する土石詰め用組枠に関するものである。
【０００２】
【背景技術】
従来から、河川の岸や床、道路、造成地、山腹等には、沈床乃至は擁壁が、護岸、道路、造成地等における法面や法肩の保護、護岸の法先の洗掘や沈床の進行を防止するための根固め、橋脚や橋台の保護、或いは災害復旧及び地滑り復旧等を目的とした土止めとして設けられており、また、水防用乃至は砂防用の堤や護岸、水制、治山工事の堰堤、更には漁礁等の様々な用途において、構築されてきている。
【０００３】
そして、そのような沈床乃至は擁壁に用いられるものとしては、従来から、各種の構造のものが提案されてきており、例えば、特開２００１−２４８１３６号公報においては、少なくとも一辺に雌継手を有した枠体と、少なくとも一辺に雄継手を有した枠体とを、それぞれの雌継手と雄継手を回動自在に係合させることによって、組み付けて、組枠を形成し、そしてその枠内に、砕石や土嚢、土砂等を収納可能としたものが、示されている。このような組枠にあっては、枠体の雄継手に設けられた軸部に、雌継手の貫通孔を、該貫通孔に設けられた切欠部を通じて嵌入することによって、それら雄継手と雌継手とが回動自在に係合されて、二つの枠体の連結が行われることにより、目的とする組枠が形成されているのである。
【０００４】
しかしながら、かかる公報に開示の組枠にあっては、組み立ての際に組み付けられる係合部が回動自在とされているところから、枠体を組み立てて組枠とした後に、その組枠形状が安定せず、外部から力が加えられた際に、組枠の形状が変形してしまう等といった問題を内在するものであった。また、雄継手の円柱状の軸部を、雌継手の貫通孔に設けられた切欠きに挿入可能とするために、その一部を削り、幅狭の腹部と為しているところから、そのような軸部の強度が低下することに加えて、回動自在に係合されている枠体が動かされた際に、丁度、切欠部と軸の幅が一致する角度になったときに、それら継手の係合が外れてしまう等といった問題もあったのである。
【０００５】
加えて、雄継手の軸部と係合される雌継手の貫通孔に設けられた切欠部が枠体の側面に開口するように設けられているため、そのような切欠部の開口方向に大きな力が加えられた際には、係合が外れてしまうといった問題も惹起される恐れがあるものであった。なお、そこでは、それら軸部や貫通孔を多角形にすることも可能であるとの記載が為されているが、仮に、多角形構造にて、それら軸部や貫通孔を構成した場合にあっては、多角形同士を回動自在に係合するためには、当然のことながら、多角形とされた軸部の最大幅以上に貫通孔の多角形の最小幅を設定する必要があるところから、軸部と貫通孔との間に必要以上に隙間が生じてしまい、組枠とした際にガタが生じたり、係合が外れてしまうといった恐れも著しく高くなる等という問題があった。
【０００６】
【解決課題】
ここにおいて、本発明は、かかる事情を背景にして為されたものであって、その解決課題とするところは、別体の連結部材を必要とすることなく、容易に組み立て可能で、且つ、組立後に係合部の回動等により係合の離脱等の恐れのない、連結接続性や施工性に優れた土石詰め用組枠を提供することにある。
【０００７】
【解決手段】
そして、本発明にあっては、かかる課題の解決のために、少なくとも一辺に一部切欠きリング状の先端部を備えた係合突部を有する矩形の枠体と、該係合突部が係合せしめられる係止軸部を、少なくとも一辺に設けた空所内に、該空所の対向する側部を橋絡するように配設してなる矩形の枠体とを備えた土石詰め用組枠にして、前記係合突部を、内周面が多角形状とされた係合孔と該係合孔を外部に連通せしめる切欠部とを有する一部切欠きリング状の先端部構造において、構成する一方、前記係止軸部を、該係合突部における一部切欠きリング状先端部の切欠部が通過し得る太さを有する挿入部と、該挿入部に連設されて、該係合突部における一部切欠きリング状先端部に設けられた係合孔が外挿せしめられる、該係合孔の多角形状の内周面との係合によって該係合突部を回動不能に係止せしめる多角形状の外周面を備えた係止部とを含んで、構成するようにしたことを特徴とする土石詰め用組枠を、その要旨とするものである。
【０００８】
要するに、かかる本発明に従う土石詰め用組枠にあっては、一方の枠体の一辺に設けられた、内周面が多角形状とされた係合孔を外部に連通せしめる、一部に切欠きを有するリング状の係合突部を、他方の枠体の一辺に設けられた係止軸部の、前記リング状の係合突部の切欠部が通過可能な太さとされた挿入部に対して、前記切欠部を通じて外嵌し、そして、前記係合孔の内部に係止軸部の挿入部を挿通せしめた後、該挿入部と連設された係止部に、前記係合孔を外挿させることによって、それら係合突部と係止軸部とを回動不能に係止せしめることが可能となったのである。
【０００９】
従って、このような構造を有した土石詰め用組枠にあっては、組枠を形成するにあたって、枠体以外に特別な連結部材等が必要でないために、容易に組枠の組立が可能となり、その組立に係る作業性や生産性が有利に向上せしめられ得ることとなるのである。加えて、係合突部の係合孔と係止軸部の係止部が、それぞれ対応した多角形状とされているところから、そのような係合孔と係止部との係合により、枠体と枠体とが強固に且つ回動不能に係止せしめられ得ることとなり、以て、連結接続性や形状保持性に優れた組枠の形成が可能となったのである。
【００１０】
なお、かかる本発明に従う土石詰め用組枠の好ましい態様の一つによれば、前記係合突部と前記係止軸部とが、一つの矩形枠体の対向する一対の辺にそれぞれ設けられて、構成されることとなる。このような構成を有する矩形枠体を用いることにより、一つの形状の枠体のみで、換言すれば１種類の枠体のみで、枠体同士を連続して連結することが可能となるのである。これによって、複数の種類の枠体を製作する必要がなくなり、枠体の生産性が向上すると共に、組枠を形成するに際して、一つの枠体を使用するのみで事足りるので、現場での作業性が、更に向上することとなる。
【００１１】
また、このような本発明に従う土石詰め用組枠の望ましい態様の他の一つによれば、前記枠体は、横方向及び／又は縦方向に組み立てられる。このように、枠体が横方向及び／又は縦方向に組立可能とされているところから、設置する場所に応じて、そこに適合する形状の組枠を、それら枠体を縦方向や横方向に組み合わせることによって、形成することが可能となり、施工性の向上が有利に図られ得るのである。
【００１２】
さらに、本発明に従う土石詰め用組枠の他の有利な態様の一つによれば、前記係止軸部における係止部は、前記挿入部から離れるに従って漸次形状が大となる多角形状の外周面を有して、構成されている。これによって、前記係止部への前記係合突部の外挿が容易となるため、組枠の組立に係る作業性が、更に有利に向上すると共に、該係止部が係合突部の係合孔に対して楔の様に嵌入されるため、該係止部の外周面と該係合孔の内周面とが、より一層強固に係合され得ることとなるのであり、以て、枠体の連結接続性や組枠の形状保持性も、有利に向上し得ることとなるのである。
【００１３】
更にまた、本発明に従う土石詰め用組枠の好ましい別の態様の一つによれば、前記係合突部における係合孔の内周面の多角形状と前記係止軸部における係止部の外周面の多角形状とが、それぞれ五角形や八角形にて構成されることとなる。このように、前記係止部と前記係合孔を対応する五角形状や八角形状にすることによって、該係止部に該係合孔を係合させて２つの枠体を固定するに際して、それら２つの枠体の固定角度を、五角形状や八角形状に対応した所定の角度で固定せしめることが可能となるのであり、例えば正八角形状とした場合においては、４５度、９０度、１３５度、１８０度の、任意の角度にて強固に固定することが可能となるのである。これによって、現場にて組枠を形成するに際して、特別な計測をすることなく、枠体同士を真っ直ぐに連結したり、例えば、９０度の角度を持って連結した枠体を組み合わせることによって形成される箱型の組枠等を、容易に形成することが可能となるのであり、作業現場にて組枠を組み立てる際の作業性や、枠体の連結接続性や組枠の形状保持性が、更に有利に向上することとなる。
【００１４】
加えて、かかる本発明に従う土石詰め用組枠の他の望ましい態様の一つによれば、前記枠体の対向する辺の一方に、Ｕ字形先端部を有する連結突起が一体的に設けられている一方、該対向する辺の他方に、該連結突起の先端部のＵ字形状内に嵌入せしめられる膨出部が一体的に設けられている構成が、採用される。このような連結突起や膨出部を、前述せるような係合突部や係合軸部の設けられていない辺に対して配設することにより、一方の枠体の一辺に設けられたＵ字形先端部を有する連結突起を、他方の枠体の対向する一辺に設けられた膨出部に嵌入せしめて、枠体と枠体とを、前述せる係合突部や係合軸部の設けられていない方向に対しても連結することが可能となり、以て、枠体を組み合わせることによって形成される組枠の形状の種類を、更に増やすことが出来るのである。
【００１５】
また、このような本発明に従う土石詰め用組枠の別の有利な態様の一つによれば、前記枠体の前記空所が設けられた辺において、該空所よりも該枠体の内側に入り込んだ位置に第二の空所を設け、該第二の空所内に、前記係止軸部と同様な第二の係止軸部を、該第二の空所の対向する側部を橋絡するように、配設してなる構成が、採用される。このような構成を採用することによって、一つの枠体の一辺に対して二つの枠体を連結することが可能となり、それら枠体を組み合わせて組枠を形成するに際して、さらに複雑な形状の組枠を形成することが出来る利点がある。
【００１６】
【発明の実施の形態】
以下、本発明を更に具体的に明らかにするために、本発明に係る土石詰め用組枠の具体的構成について、図面を参照しつつ、詳細に説明することとする。
【００１７】
先ず、図１には、本発明に従う土石詰め用組枠を形成するために用いられる枠体の一例が、その正面形態において示されており、また図２には、その平面図が、示されている。
【００１８】
それらの図において、ダクタイル鋳鉄からなる枠体１０は、全体として、横長の矩形板状形状を呈する平面枠であり、板面を貫通する正方形状の多数の窓部１２が縦横に配列するように設けられることによって、碁盤格子形態において、形成されている。そして、そのような枠体１０の側部である一辺側（図１において、右側辺）には、複数の枠体１０を連結するための連結部材として、雄型の係合部材たる係合突起１４が、上下に所定の間隔をもって、ここでは、２箇所、配設されているのである。一方、そのような係合突起１４の配設された辺と対向する他の一辺側（図１において、左側辺）には、係合突起１４と同様に、所定の間隔を隔てて、上下に、二つの第一の空所１６，１６が、コ字状切欠き形態において、枠体１０を貫通するように設けられており、そしてそれら空所１６内に、係合突起１４が係止され得る形状とされた、雌型の係合部材たる第一の係止軸１８が、それぞれ配設されているのである。
【００１９】
より具体的には、かかる二つの係合突起１４は、枠体１０の辺縁部から側方に突出せる形態において、設けられていると共に、上下方向に所定長さで延びる角筒形状を呈するものであって、何れも、その内周面が多角形状とされた、ここでは、図３に示されるような八角形状とされた、係合孔２０を有する先端部形状において、形成されている。そして、かかる係合孔２０の設けられた角筒リング状周縁部の一部（八角形の一辺部分）を切り欠いて、該係合孔２０を外部に連通せしめる切欠部２２が、係合突起１４の先端において、枠体１０の長手方向の外方に向かって開口するように、設けられているのである。
【００２０】
また、第一の係止軸１８は、図４に拡大して示されるように、枠体１０の左側辺部位に形成された第一の空所１６内において、その上下の対向する側部を連結するように、八角形状の支持プレート部２４ａ，２４ｂを介して、上下方向に一体的に立設せしめられている。そこにおいて、かかる係止軸１８には、前述した係合孔２０の切欠部２２が通過可能な幅とされた挿入部２６と、係合突起１４の係合孔２０を嵌合せしめるために、該挿入部２６よりも大きな径を持った係止部２８とが、軸方向において上下に一体的に連続して形成されている。そして、そのような係止軸１８の挿入部２６においては、図５（ａ）に示されるように、その外周面の形状が円柱形状とされており、また直径にあっては、係合孔２０の切欠部２２が通過可能な太さとされているのである。一方、係止部２８は、図４及び図５（ｂ）からも明らかなように、その外周面の形状が八角形状とされており、更に、連設された挿入部２６から離れるに従って、その径（外接円）が漸次大となる、所謂八角形のテーパー形状とされている。
【００２１】
さらに、そのような第一の空所１６が設けられた枠体１０の左側辺部位の、該空所１６よりも枠体１０の内側に入り込んだ位置には、２つの第二の空所３０，３０が、第一の空所１６，１６と同様に枠体１０を貫通するようにして、設けられている。そして、それらの空所３０，３０内には、第一の係止軸１８と同様に係合突起１４が係止され得る形状とされた第二の係止軸３２が、それぞれ、八角形状の支持プレート部３４ａ，３４ｂを介して、第二の空所３０内において、その上下の対向する側部を連結するように、上下方向に一体的に設けられている。なお、この第二の係止軸３２には、前述の第一の係止軸１８と同様な構成において、係合突起１４の切欠部２２が通過可能とされた挿入部３６と、該係合突起１４の係合孔２０と係合される、八角形のテーパー形状とされた係止部３８とが、一体的に連続して形成されているのである。
【００２２】
ところで、このような係合突起１４と係止軸１８，３２の係合は、図６（ａ）〜（ｄ）に示されるように、行われることとなるのである。即ち、先ず、図６（ａ）の如く、一方の枠体１０の係合突部１４と他方の枠体１０’の係止軸１８’，３２’とを対向するように配置し、次いで、図６（ｂ）の如く、一方の枠体１０を少しだけ持ち上げて、該枠体１０の係合突起１４が、他方の枠体１０’の係止軸１８’（３２’）の挿入部２６’（３６’）の高さまで来るようにした後、図６（ｃ）に示される如く、一方の枠体１０の係合突起１４を、該係合突起１４に設けられた係合孔２０の切欠部２２を介して、他方の枠体１０’の係止軸１８’（３２’）の挿入部２６’（３６’）に係合孔２０を外挿せしめた後、持ち上げていた枠体１０を下降させることによって、枠体１０の係合突起１４の係合孔２０と枠体１０’の係止軸１８’（３２’）の係止部２８’（３８’）とが、図６（ｄ）に示されるように、強固に係合せしめられることとなるのである。
【００２３】
なお、そのように、係合突起１４の係合孔２０と係止軸１８’（３２’）の係止部２８’（３８’）とを係合せしめて、２つの枠体１０，１０’を連結する際に、係合孔２０の８分割された内周面のそれぞれが、係止部２８’（３８’）の８分割された外周面の何処に接触するかによって、２つの枠体１０，１０’の固定角度を、図７（ａ），（ｂ）に示される如く、９０度又は１８０度の所望の角度として、それら２つの枠体１０，１０’が、係止軸１８’（３２’）回りに回動不能に係合され得るようになっているのである。
【００２４】
また、上記例示の枠体１０にあっては、係合突部１４や係止軸１８の設けられていない、図１における上側辺と下側辺の対応する部位には、それぞれ、膨出部４０と連結突起４２とが、それぞれ２箇所づつ、枠体１０と一体的に設けられている。具体的には、上側辺に設けられた膨出部４０においては、図８（ｂ）に示される如く、凸部４２が、枠体１０の両側面において膨出して、設けられている。また、下側辺に設けられた連結突起４４は、図８（ａ）に示されるように、枠体１０の矩形形状の一辺から突出した形態において設けられて、その断面形状がＵ字形状とされており、前述の膨出部４０がそのＵ字形状の内側空間内に嵌入せしめられるにようになっている。そして、そのＵ字形状とされた連結突起４４の内周面には、嵌入される膨出部４０が乗り越え得る間隙とされた狭窄部４６が設けられている。このような形状とされた膨出部４０と連結突起４４は、図８（ｃ）に示されるように、連結突起４４の下部から膨出部４０が、Ｕ字形状とされた連結突起４４の開口部を押し広げるように挿入されて、嵌合せしめられ、連結されることとなるが、その嵌合の際に、連結突起４４に設けられた狭窄部４６を乗り越えて、Ｕ字の奥部に、膨出部４０の凸部４２が嵌入せしめられることにより、それら連結突起４４と膨出部４０の連結が、容易に外れることがないように構成されている。
【００２５】
本発明は、かくの如き、矩形形状の両側辺に係合突起１４と係止軸１８とが設けられてなる枠体１０を用いて、目的とする土石詰め用組枠を形成するものであって、例えば、図９では、４枚の枠体１０を組み合わせて、箱型の土石詰め用組枠が形成されている。そこにおいて、土石詰め用組枠５０は、１枚目の枠体１０の係合突起１４と２枚目の枠体１０の係止軸１８とが、それら２枚の枠体１０が９０度の角度配置となるように係合せしめられ、また、その２枚目の枠体１０の係合突起１４と３枚目の枠体１０の係止軸１８とが、２枚目と３枚目の枠体１０が９０度の角度配置となり、且つ１枚目の枠体１０と３枚目の枠体１０が対向するように係合せしめられ、更に、３枚目の枠体１０の係合突起１４と４枚目の枠体１０の係止軸１８、及び４枚目の枠体１０の係合突起１４と１枚目の枠体１０の係止軸１８とが、４枚目の枠体１０によって１枚目の枠体１０と３枚目の枠体１０を連結するように、それぞれ係合せしめらることによって、形成されているのである。要するに、４枚の枠体１０の係合突起１４と係止軸１８とを順次連結して、枠体１０が、それぞれ９０度の配置角度で連結されることによって、箱型の土石詰め用組枠が、形成されることとなるのである。
【００２６】
このように、本発明にあっては、土石詰め用組枠を形成するために用いられる枠体１０の対向する辺のそれぞれに、連結部材としての係合突起１４と係止軸１８とが配設されているところから、それら枠体１０の複数を、一方の枠体１０の係合突起１４と他方の枠体１０の係止軸１８とを嵌合せしめて、枠体１０同士を回動不能に係合、連結することが可能となるのであり、そのような枠体１０を複数組み合わせることによって、その枠内に、砕石や土嚢、土砂等を収納、充填せしめることが可能な組枠を、適宜の大きさにおいて、容易に形成することが、可能となったのである。
【００２７】
そして、かかる枠体１０においては、係止軸１８に、係合突起１４の係合孔２０と係合される係止部２８の外周面の径よりも小径とされた挿入部２６が、係止部２８と一体的に設けられているところから、係合突起１４の係合孔２０をそのような係止軸１８の挿入部２６を介して外挿するために設けた切欠部２２の幅を、係合孔２０の内周面の径よりも充分に小さくすることが出来るため、そのような切欠部２２の形成による係合孔２０の強度の低下を有利に抑えることが出来ると共に、係合孔２０と係止部２８との係合が切欠部２２を通じて脱落してしまうといった問題も、効果的に解消され得ることとなるのである。
【００２８】
また、係止軸１８の係止部２８が、それに連設された挿入部２６から離れるに従って、その径が漸次大となるテーパー形状とされているところから、挿入部２６を通じて係合軸１８に外挿された係合突起１４の係合孔２０を、係止部２８に外挿せしせめることが容易となると共に、係合孔２０の内部に、係止部２８が楔のように嵌入せしめられるようになるところから、係合孔２０と係止部２８とがより一層強固に係合され得ることとなる。
【００２９】
加えて、それら係合孔２０の内周面と係止部２８の外周面とが、それぞれ対応する大きさの八角形状とされているところから、係合突起１４の係合孔２０と係止軸１８の係止部２８を係合せしめて、２つの枠体１０，１０を連結する際に、係合孔２０の８分割された内周面のそれぞれが、係止部２８の８分割された外周面の何処に係合するかによって、２つの枠体の固定角度を、図７（ａ），（ｂ）に示される如く、９０度又は１８０度の所望の角度として、それら２つの枠体１０，１０を強固に係合することが可能となるのである。これによって、枠体１０の複数を組み合わせて、目的とする土石詰め用組枠を形成するに際して、特別な計測等を行うことなく、枠体を真っ直ぐ（１８０度）に連結して柵状の組枠を形成したり、直角（９０度）に連結した枠体を組み合わせることによって、図９に示されるような箱型の組枠を形成したりすることが可能となり、以て、土石詰め用組枠の形成に係る作業性が、有利に向上せしめられることとなる。
【００３０】
さらに、かかる枠体１０にあっては、係合突起１４や係止軸１８の設けられていない、対向するそれぞれの辺に対しても、膨出部４０や連結突起４４が、枠体１０と一体的に設けられているところから、枠体１０の複数を、図１０に示されるように、係合突起１４や係止軸１８の設けられている横方向に加えて、そのような膨出部４０や連結突起４４の設けられている上下方向にも連結可能となり、以て、枠体１０を組み合わせて形成される土石詰め用組枠の形状の種類を、更に増加することが出来るようになるのである。
【００３１】
更にまた、例示の枠体１０にあっては、その一辺に設けられた第一の係止軸１８よりも、更に枠体１０の内側に入り込んだ位置に、第二の係止軸３２が設けられているところから、そのような２つの係止軸１８，３２が設けられた辺に対して、別の２つの枠体１０，１０の係合突部１４，１４を係合せしめることが可能となり、その結果、枠体１０の組み合わせによって形成される土石詰め用組枠の形状の種類を、更にに有利に増加せしめることが可能となるのである。
【００３２】
従って、かくの如き本実施形態によれば、１種類の形状の枠体１０を複数組み合わせて用いることにより、容易に組立可能で、且つ高い係合強度をもった土石詰め用組枠を形成することが可能となるのである。そして、そのような土石詰め用組枠を構成するために用いられる枠体は１種類で済むところから、その生産性も、有利に向上せしめられ得ることとなる。
【００３３】
また、かかる本実施形態においては、土石詰め用組枠を形成する枠体１０同士が、係合突起１４と係合軸１８とによって回動不能に強固に係合され得、それによって、組枠が優れた連結接合性や形状保持性を持って形成されることになるところから、組み立てられた土石詰め用組枠に大きな力が加えられても、組枠が変形してしまったり、継手部分の係合が解除されてしまうという問題が、有利に解消せしめられ得るのである。
【００３４】
しかも、このような本実施形態によれば、土石詰め用組枠を形成するに際して使用する枠体１０同士の連結に、特別な別体の連結部材を必要とせず、枠体１０に設けられた係合突起１４と係止軸１８のみで連結可能とされ、更に、その連結も、一方の枠体１０を少しだけ持ち上げて、係合突起１４を、他方の枠体１０の係止軸１８に対して、係合突起１４に設けられた係合孔２０の切欠部２２を介して、係止軸１８の挿入部２６に係合孔２０を外挿せしめた後、持ち上げている枠体１０を下ろすことによって、係合突起１４の係合孔２０と係止軸１８の係止部２８とが、強固に回動不能に係合せしめられるようになっているところから、作業現場において土石詰め用組枠を形成する際の組立作業性が、有利に向上せしめられるのである。
【００３５】
また、本実施形態においては、かかる枠体１０が、ダクタイル鋳鉄等の材料を用いて、鋳造して得られた鋳鉄製のものが用いられており、そのような枠体１０に対して、連結部材である係合突起１４や係合軸１８、膨出部４０や連結突起４４等が一体成形されているところから、枠体１０自体の強度と、それら連結部材の強度とが、有利に高められ得ることとなり、それによって、そのように強固な連結部材にて係合せしめられる枠体１０を用いて形成される土石詰め用組枠の強度も、極めて効果的に向上せしめ得ることとなるのである。
【００３６】
以上、本発明に従う土石詰め用組枠の代表的な具体例について詳述してきたが、本発明が、そのような具体例に何等限定して解釈されるものでは決してなく、本発明の趣旨を逸脱しない限りにおいて、本発明が、当業者の知識に基づいて種々なる設計上の変更を加えたり、改良等を施したりした形態において実施され得るものであることは、言うまでもないところであり、また、そのような変形された実施の形態が、何れも、本発明の範疇に属するものであることが、理解されるべきである。
【００３７】
例えば、例示の実施形態においては、枠体１０の一辺側に設けた第一の係止軸１８よりも枠体１０の内側に入り込んだ位置に第二の係止軸３２を設け、枠体１０の一つの辺に対して別の２つの枠体１０の係合突起１４を係合可能としていたが、そのような第二の係止軸３２の更に内側に入り込んだ位置に、更に係止軸を形成することにより、一つの辺に対して別の３つの枠体１０が係合可能となるように、構成しても良い。更に、本実施形態において示した、対向する辺のそれぞれに係合突起１４と係止軸１８を設けた枠体１０に加えて、係合突起１４を対向する辺のそれぞれに設けた枠体５２を用いることによって、図１１に示されるような、それらの枠体１０，５２を梯子状に連結した土石詰め用組枠を形成することも、可能となるのである。
【００３８】
また、枠体１０の四つの辺にそれぞれ設けられた係合突起１４や係止軸１８、膨出部４０や連結突起４４の数は、本実施形態のように、それぞれ２個でなくても良く、例えば３つ、或いはそれ以上であってもよい。それらの数は、枠体１０の大きさや形状によって、適宜選択されることとなるのである。
【００３９】
さらに、本実施形態においては、枠体１０の形状として、横長の矩形の枠体を示したが、そのような形状でなくても、例えば、円形や楕円形、多角形等の形状であっても良い。その際には、そのような枠体の外周縁の対向する部位に、係合突起１４や係止軸１８が設けられて、形成されることとなる。
【００４０】
更にまた、係合突起１４の係合孔２０の内周面と、係止軸１８の係止部２８の外周面の形状は、本実施例の如く八角形でなくても、それら係合孔２０と係止部２８が回動不能に係合出来る形状であれば、四角形や五角形、六角形等でも何等差し支えないのである。
【００４１】
加えて、枠体１０の材質も、本実施形態のようなダクタイル鋳鉄に限定されるものではなく、他の鋳鉄材料等も適宜に採用可能である。
【００４２】
【発明の効果】
以上の説明から明らかなように、本発明に従う土石詰め用組枠構造によれば、複数の平面枠を、別体の連結部材等を必要とすることなく、容易に組み立てることが出来るのであり、また、その枠内に砕石や土嚢、土砂等を収容可能とした組枠を、効果的に形成することが出来ると共に、組立後において、係合部の回動等による係合の脱落等の恐れのない、優れた連結接合性を有する土石詰め用組枠を形成することが可能となるのである。
【図面の簡単な説明】
【図１】本発明に従う土石詰め用組枠を形成するために用いられる枠体の一例を示す正面図である。
【図２】図１に示される枠体の平面図である。
【図３】図１におけるＡ−Ａ断面図である。
【図４】図１に示される枠体のＢ部分拡大図である。
【図５】係止軸の詳細を示す拡大断面説明図であって、（ａ）及び（ｂ）は、それぞれ、図４におけるＥ−Ｅ断面図及びＦ−Ｆ断面図である。
【図６】図１に示される枠体に設けられた係合突起と係止軸を係合させる際の手順を示す説明図であって、（ａ）〜（ｄ）は、それぞれ、係合に至る異なる工程を順次示している。
【図７】図１に示される枠体に設けられた係合突起と係止軸の係合の様子を示す説明図であって、（ａ）は９０°の角度をもった係合状態を示し、（ｂ）は１８０°の角度をもった係合状態を示している。
【図８】連結突起と膨出部及びそれらの係合状態を示す断面説明図であって、（ａ）、（ｂ）及び（ｃ）は、それぞれ、図１におけるＣ−Ｃ断面図、Ｄ−Ｄ断面図、及びそれらの結合の様子を示す断面説明図である。
【図９】図１に示される枠体を組み合わせて形成された土石詰め用組枠の一例を示す平面説明図である。
【図１０】図１に示される枠体を、上下左右方向にそれぞれ連結した状態を示す、正面説明図である。
【図１１】図１に示される枠体と、両側辺に係合突起を設けた枠体とを組み合わせて梯子状形態の組枠を形成する際の、係合突起と係止軸の組み合わせの状態を概略的に示した説明図である。
【符号の説明】
１０　枠体
１２　窓部
１４　係合突起
１６　第一の空所
１８　第一の係止軸
２０　係合孔
２２　切欠部
２４ａ，ｂ　支持プレート部
２６　挿入部
２８　係止部
３０　第二の空所
３２　第二の係止軸
３４ａ，３４ｂ　支持プレート部
３６　挿入部
３８　係止部
４０　膨出部
４２　凸部
４４　連結突起
【図１】
2004084350.tif 000003
【図２】
2004084350.tif 000004
【図３】
2004084350.tif 000005
【図４】
2004084350.tif 000006
【図５】
2004084350.tif 000007
【図６】
2004084350.tif 000008
【図７】
2004084350.tif 000009
【図８】
2004084350.tif 000010
【図９】
2004084350.tif 000011
【図１０】
2004084350.tif 000012
【図１１】
2004084350.tif 000013